(57)【要約】【課題】使用者が簡便に収納物の確認が可能な収納装置及び洗面装置を提供すること。【解決手段】開口を有する中央収納室３４及び左右収納室３６Ｌ，３６Ｒを備えた収納部３０Ａと、前記開口に設けられ当該開口を開閉自在とする主鏡４及び袖鏡５Ｌ，５Ｒと、を備え、主鏡４及び袖鏡５Ｌ，５Ｒが、中央収納室３４及び左右収納室３６Ｌ，３６Ｒ内外を隔てるマジックミラーを備え、収納部３０Ａが、中央収納室３４及び左右収納室３６Ｌ，３６Ｒ内を照らす照明装置３７を備えることを特徴とする収納装置。【選択図】図２
2016154637.tif 000002
【特許請求の範囲】
【請求項１】
開口を有する収納室を備えた収納部と、前記開口に設けられ当該開口を開閉自在とする蓋部と、を備え、
前記蓋部が、前記収容室内外を隔てるマジックミラーを備え、
前記収納部が、前記収納室内を照らす照明装置を備えることを特徴とする収納装置。
【請求項２】
前記マジックミラーの光透過率が、５０％以下であることを特徴とする請求項１に記載の収納装置。
【請求項３】
物体を検知するセンサを備え、
前記照明装置が、前記センサの検知情報を得て点灯又は消灯することを特徴とする請求項１又は２に記載の収納装置。
【請求項４】
前記センサが、前記収納部の外側の側面に設けられていることを特徴とする請求項３に記載の収納装置。
【請求項５】
前記照明装置の点灯又は消灯を制御する制御部を備え、
前記制御部が、前記センサの検知情報を得て、前記照明装置を点灯又は消灯させることを特徴とする請求項３又は４に記載の収納装置。
【請求項６】
前記照明装置が点灯している間、
前記制御部が、所定の時間、前記センサの検知情報を検出しないときには、前記照明装置を消灯することを特徴とする請求項５に記載の収納装置。
【請求項７】
前記収納室が複数の区画に分かれており、
前記照明装置が、前記複数の区画をそれぞれ照らす複数の照明器具を有することを特徴とする請求項１から６のいずれか一項に記載の収納装置。
【請求項８】
前記センサが、静電容量型センサであることを特徴とする請求項１から７のいずれかに記載の収納装置。
【請求項９】
請求項１から８のいずれか一項に記載の収納装置と、洗面台と、を備えることを特徴とする洗面装置。
【請求項１０】
請求項３から６のいずれか一項に記載の収納装置と、洗面台と、を備え、
前記センサが、前記収納部の外側の側面の内、前記洗面台と対面する面に設けられていることを特徴とする洗面装置。
【発明の詳細な説明】
【技術分野】
【０００１】
本発明は、収納装置及び洗面装置に関する。
【背景技術】
【０００２】
従来、収納部を備える化粧キャビネットが知られている（例えば、特許文献１参照）。
【０００３】
例えば、特許文献１に記載された化粧キャビネットは、収納部と、表面に鏡を備える収納部の開閉扉と、を備えている。これらの開閉扉を開けて、この開閉扉裏の収納部に収納された歯ブラシ等の収納物を取り出すことが可能となる。
【先行技術文献】
【特許文献】
【０００４】
【特許文献１】実開昭５４−３６５４８号公報
【発明の概要】
【発明が解決しようとする課題】
【０００５】
しかしながら、特許文献１に記載された化粧キャビネットでは、実際に扉を開けるまで、どの扉の内側に目的の収納物が収納されているのかわからず、目的とする収納物が見つかるまで複数の扉を開閉する手間がかかることがある。
【０００６】
本発明は、使用者が簡便に収納物の確認が可能な収納装置及び洗面装置を提供することを課題の一例とするものである。
【課題を解決するための手段】
【０００７】
前記課題を解決し目的を達成するために、請求項１に記載の本発明の収納装置は、開口を有する収納室を備えた収納部と、前記開口に設けられ当該開口を開閉自在とする蓋部と、を備え、前記蓋部が、前記収容室内外を隔てるマジックミラーを備え、前記収納部が、前記収納室内を照らす照明装置を備えることを特徴とする。
【図面の簡単な説明】
【０００８】
【図１】本発明の実施例に係る洗面装置の概略構成を示す斜視図である。
【図２】図１の洗面装置が備える本発明の実施例に係る収納装置の概略構成を示す正面図である。
【図３】図２に示す収納装置が備える照明装置を下側から見た斜視図である。
【図４】図２に示す収納装置の蓋部の解放状態を示す斜視図である。
【図５】図２に示す収納装置が備えるラッチ機構を示す斜視図である。
【図６】図２に示す収納装置が備えるラッチ機構を示す上面図である。
【図７】図６におけるラッチ機構を下側から見た拡大斜視図である。
【図８】収納装置の制御動作の一例を示すフローチャートである。
【発明を実施するための形態】
【０００９】
以下、本発明の実施形態を説明する。本発明の実施形態に係る収納装置は、開口を有する収納室を備えた収納部と、前記開口に設けられ当該開口を開閉自在とする蓋部と、を備え、前記蓋部が、前記収容室内外を隔てるマジックミラーを備え、前記収納部が、前記収納室内を照らす照明装置を備える。
【００１０】
これにより、収納室内に設けられた照明装置が収納室内を照らすため、蓋部が閉じたままでも、マジックミラーを通して、収納室内を視認することが可能となり、使用者は蓋部を開閉することなく、簡便に収納物の確認が可能となる。
【００１１】
また、マジックミラーの光透過率を、５０％以下としてもよい。これにより、照明装置が点灯していないときは収納室内を視認することができず、一方、照明装置が点灯したときには収納室内を視認することが可能となる。
【００１２】
また、物体を検知するセンサを備え、照明装置が、センサの検知情報を得て点灯又は消灯してもよい。これにより、使用者による照明装置の点灯及び消灯の動作を省くことができるため、簡便に収納物の確認が可能となる。
【００１３】
また、センサが、収納部の外側の側面に設けられていてもよい。これにより、例えば使用者が蓋部を開けて収納室内を見るという動作に合わせることができる。または、使用者の手の軌跡上にセンサがあるので、使用者に新たな動作をさせることを省くことができる。具体的には、使用者の手が蓋部に近づいた時にセンサが使用者の手を検知して照明装置が点灯し、使用者は収納室内を見ることができる。
【００１４】
また、照明装置の点灯又は消灯を制御する制御部を備え、制御部が、センサの検知情報を得て、照明装置を点灯又は消灯してもよい。これにより、検知情報に応じて適切に、照明装置の点灯及び消灯を制御することが可能となる。
【００１５】
また、照明装置が点灯している間、制御部が、所定の時間（例えば５秒）、センサの検知情報を検出しないときには、照明装置を消灯してもよい。これにより、照明装置は所定の時間経過後、自動的に消灯されて、使用者の照明装置の消灯の動作を省くことができるため、使用者の手間が省ける。また照明装置の消し忘れを抑制することができ、省エネに資する。
【００１６】
また、収納室が複数の区画に分かれており、照明装置が、複数の区画をそれぞれ照らす複数の照明器具を有していてもよい。これにより、照明装置に照らされる範囲が広くなり、収納室内がより視認しやすくなる。
【００１７】
また、センサが、静電容量型センサであってもよい。
【００１８】
また、本発明の一実施の形態に係る洗面装置は、前記収納装置と、洗面台と、を備えることを特徴とする。これにより、収納室内を照明装置が照らすため、蓋部が閉じていても、マジックミラーを通して、収納室内を視認することが可能となり、使用者は蓋部を開閉する必要がなく、簡便に収納物の確認が可能となる。
【００１９】
また、前記収納装置と、洗面台と、を備え、センサが、収納部の外側の側面の内、洗面台と対面する面に設けられてもよい。これにより、例えば使用者が蓋部を開けて収納室内を見るという動作に合わせることができる。または、使用者の手の軌跡上にセンサがあるので、使用者に新たな動作をさせることを省くことができる。具体的には、使用者の手が蓋部に近づいた時にセンサが使用者の手を検知して照明装置が点灯し、使用者は収納室内を見ることができる。また、使用者は、手を低い位置で検知させることにより収納室内の照明装置を点灯させ、収納室内を確認することができ、利便性が向上する。
【実施例】
【００２０】
本発明の実施例に係る収納装置及び洗面装置について図１〜８を参照して以下説明する。図１は、本発明の実施例に係る洗面装置の概略構成を示す斜視図である。図２は、図１の洗面装置が備える本発明の実施例に係る収納装置の概略構成を示す正面図である。
【００２１】
本実施例の洗面装置１は、洗面ボウル２ａを備える洗面台２と、洗面台２の上側に設けられ、収納部及び鏡として機能する収納装置３と、を備えている。なお、本実施例においては、使用者に面する側を「前」、その反対側を「後」とする。また、本実施例において上下左右とは、図２の正面図上での上下左右を示す。
【００２２】
収納装置３は、筐体３０と、主鏡４と、主鏡４の左右に設けられた袖鏡５Ｌ，５Ｒと、不図示の制御部と、収納装置３の前方であり筐体３０の開口の上側に設けられた照明１０と、筐体３０の下方に連続して形成され、洗面台２と連結する略長方形の正面板３１と、を備えている。なお、主鏡４と、袖鏡５Ｌ，５Ｒと、は本発明における蓋部の一例である。
【００２３】
筐体３０は、前方が開口した偏平な箱形状であり、前記箱形状の一面を構成する背板３２と、背板３２の４辺から前方に立設し、略長方形の開口を形成する４枚の板状部材３３ａ，３３ｂ，３３ｃ，３３ｄから構成される張り出し部３３と、から構成される。筐体３０は、背板３２及び張り出し部３３により、前面に開口を有する収納室を備えており、本発明における収納部を構成する。筐体３０は、中央収納室３４及び左右収納室３６Ｌ，３６Ｒ内を照射する照明装置３７ａ，３７ｂを備えている。収納室は、中央収納室３４と、仕切板３５Ｌ，３５Ｒにより中央収納室３４と仕切られた左右収納室３６Ｌ，３６Ｒと、から成る。
【００２４】
中央収納室３４及び左右収納室３６Ｌ，３６Ｒには、取り外し可能な棚３４ａ，３６ａが複数段設けられており、中央収納室３４及び左右収納室３６Ｌ，３６Ｒは、棚３４ａ，３６ａにより、それぞれ複数の区画に分けられている。中央収納室３４及び左右収納室３６Ｌ，３６Ｒは、前側が開口しており、この開口から洗顔料やハミガキ等の収納物を収納したり、取り出したりすることができる。
【００２５】
照明装置３７は、中央収納室３４及び左右収納室３６Ｌ，３６Ｒ内に設けられた複数の区画を照射する照明器具３７ａ，３７ｂ，３７ｃを有する。図３は、棚３４ａに設けられた照明器具３７ａを下側から見た斜視図である。照明器具３７ａは、棚３４ａの下側の面の略中央部に設けられており、一方、照明器具３７ｂは、棚３６ａの下側の面の略中央部に設けられている。照明器具３７ａ，３７ｂ，３７ｃとしては、例えば、発光ダイオード（ＬＥＤ）などが挙げられる。
【００２６】
主鏡４は、略長方形の鏡４１と、鏡４１の上部及び下部に設けられ鏡４１を支持する鏡支持部４２と、を備える。主鏡４は、中央収納室３４の開口を塞ぐように張り出し部３３の前面に設けられている。主鏡４は、右側からの解放が可能に、回動自在に取り付けられ、開閉扉の役割を果たしている。鏡４１は、マジックミラーから構成されており、主鏡４を閉じることにより、鏡４１が中央収納室３４の内側と外側とを隔てた状態となる。
【００２７】
袖鏡５Ｌ，５Ｒは、略長方形の表面を有しており、略長方形の鏡５１Ｌ，５１Ｒと、鏡５１Ｌ，５１Ｒの上部及び下部に設けられ鏡５１Ｌ，５１Ｒを支持する鏡支持部５２Ｌ，５２Ｒと、を備える。袖鏡５Ｌ，５Ｒは、左右収納室３６Ｌ，３６Ｒの開口を塞ぐように張り出し部３３の前面に設けられている。また、鏡５１Ｌ，５１Ｒは、マジックミラーから構成されており、袖鏡５Ｌ，５Ｒを閉じることにより、鏡５１Ｌ，５１Ｒがそれぞれ、左右収納室３６Ｌ，３６Ｒの内側と外側とを隔てた状態となる。
【００２８】
主鏡４には、その表面形状である略長方形を形成する辺のうちの上下方向に延びる辺の左側の辺の近傍に、上下に延びる辺と平行な回動軸４３ａが設けられている。また、袖鏡５Ｌ，５Ｒには、その表面形状である略長方形を形成する辺のうちの主鏡４とは反対側の辺（左右方向外側の辺）近傍に、上下に延びる辺と平行で、かつ互いに平行な回動軸５３ａ，５３ａが設けられている。主鏡４及び袖鏡５Ｌ，５Ｒは、回動軸４３ａ，５３ａを中心として回動し、開閉自在となっている。
【００２９】
また、回動軸４３ａ，５３ａが設けられた辺とは反対側の辺の近傍には、それぞれ、回動軸４３ａ，５３ａと平行な軸４３ｂ，５３ｂが設けられている。なお、「近傍」とは、それぞれの回動軸を中心として主鏡４及び袖鏡５Ｌ，５Ｒを回動させて開閉させるのに支障ない位置の範囲をいう。
【００３０】
図４は、主鏡４の左側に配された袖鏡５Ｌの右側の軸５３ｂが解放されて、袖鏡５Ｌの右側から開かれた状態を、収納装置３の左側の下方から見た斜視図である。なお、以降、主として左側の袖鏡５Ｌを対象として説明するが、主鏡４及び右側の袖鏡５Ｒについても同様の構造である。
【００３１】
袖鏡５Ｌは、閉時、張り出し部３３のうち上下の辺を構成する板状部材３３ａ，３３ｃの前面（先端部分）に設けられたラッチ機構９が、軸５３ｂを拘束することにより閉じた状態となっている。板状部材３３ｃの下面３３ｅ及び下部側の鏡支持部４２，５２Ｌ，５２Ｒの各前面には、後述する近接接触センサ（本発明に言う「センサ」の一例）６が配されている。
【００３２】
図５は、ラッチ機構９の内部構造を抜き出して、後方上側から見た斜視図（鏡支持部５２Ｌより上方の構成を省略）であり、図６はその上面図であり、図７はさらにラッチ機構９周辺を拡大して下方から見た斜視図である。なお、図５〜７の説明においても、左右の定義は既述の通りであり、図７上では左右が逆になっている。
【００３３】
以下、ラッチ機構９について説明する。ラッチ機構９は、モータ９１と、モータ９１の駆動力を伝達する複数のピニオン９２と、ピニオン９２のうちの一つとかみ合うラック９３ａと、ラック９３ａの歯が設けられたのとは逆の辺に備えられＬ字状に形成されたＬ字状部材９３ｂと、Ｌ字状部材９３ｂに係合するアーム９４と、センサを備える。
【００３４】
制御部からの制御信号に基づいて、モータ９１が回転し、ピニオン９２を介してラック９３ａに伝達され、回転力が直線運動に変換され、ラック９３ａが左右方向に移動する。このラック９３ａの左右方向への駆動力がアーム９４に伝達される際に、アーム９４が軸５３ｂを解放又は拘束するための駆動力に変換される。
【００３５】
アーム９４は、図７に示されるように、一端が略片口スパナの形状に形成されており、当該片口スパナの頭部の上顎部分９４ｅが袖鏡５Ｌの左右方向中央側となるように、他端側の当該片口スパナの柄の末端部分９４ｆがＬ字状部材９３ｂの突出部分に回動軸９４ａを介して係合されている。また、アーム９４は、上顎部分９４ｅに、筐体３０に間接的に固定された回動軸９４ｂが設けられている。つまり、アーム９４は、回動軸９４ａ及び回動軸９４ｂの２本の回動軸を中心として回動可能に構成されている。
【００３６】
回動軸９４ａは、ラック９３ａの左右方向の移動に追従して、回動軸９４ｂを中心として回動し、円弧状の経路９４ｄ内を円弧を描いて移動するように構成されている。アーム９４の一端側には、軸５３ｂが挿し込まれて嵌合する口部９４ｃが形成されている。口部９４ｃは、アーム９４全体の傾斜角度より主鏡４側に傾斜するように設けられている。
【００３７】
回動軸存在検知センサ（不図示）は、ラッチ機構９の所定範囲内に軸５３ｂが存在することを検知すると、回動軸存在検知情報を制御部（不図示）へ出力する。なお、ここでいう「所定範囲」とは、ラッチ機構９を駆動し、アーム９４を回動させて、口部９４ｃの上顎部分９４ｅの先端を軸５３ｂに引っかけることにより、軸５３ｂを口部９４ｃ内に挿し込み嵌合させる（留める）ことが可能な範囲を意味する。
【００３８】
ラッチ機構９の所定範囲内に軸５３ｂが存在することの検知は、袖鏡５Ｌの開き角度や、軸５３ｂのラッチ機構９への接触に基づいて行うこと等が挙げられる。例えば、袖鏡５Ｌの開き角度が所定の角度以下である場合に、回動軸存在検知センサは、回動軸存在検知情報を制御部へ出力する。
【００３９】
ラッチ機構９は軸５３ｂを口部９４ｃに留めることによって、軸５３ｂを拘束する。ラッチ機構９が、軸５３ｂを拘束しているとき、袖鏡５Ｌは閉じた状態となっている（図５参照）。一方、ラッチ機構９は、軸５３ｂを口部９４ｃから外すことにより、軸５３ｂを解放する。
【００４０】
近接接触センサ６は、例えば、物体の近接及び物体の接触を検知して、その検知情報を制御部へ出力する。なお、物体の近接の検知とは、例えば、人の接近や人の手の接近が挙げられ、また、物体の接触とは、物体の接触や人の手の接触が挙げられる。近接接触センサ６としては、例えば、静電容量型センサが挙げられる。近接接触センサ６は、主鏡４の下方に設けられる第１センサ６ａ、並びに、袖鏡５Ｌの下方に設けられる第２センサ６ｂ及び袖鏡５Ｒの下方に設けられる第３センサ（不図示）の３つのセンサから構成される。
【００４１】
第１センサ６ａは、鏡支持部４２の前面の下側に左右方向に４つ、及び、張り出し部３３の中央収納室３４を構成する面とは反対側の面（下面）３３ｅの前端付近であって、前記４つの第１センサ６ａに対応した位置に左右方向に沿って４つ並んで設けられている（図４参照）。また、第２センサ６ｂは、袖鏡５Ｌの下部を支持する鏡支持部５２Ｌの前面の下側に左右方向に４つ、及び、張り出し部３３の収納室３６Ｌを構成する面とは反対側の面（下面）３３ｅの前端付近であって、前記４つのセンサに対応した位置に左右方向に沿って４つ並んで設けられている（図４参照）。
【００４２】
なお、第３センサについても、第２センサ６ｂと同様に、袖鏡５Ｒの下部を支持する鏡支持部５２Ｒの前面の下側に左右方向に４つ、及び、張り出し部３３の収納室３６Ｒを構成する面とは反対側の面（下面）３３ｅの前端付近であって、前記４つのセンサに対応した位置に左右方向に沿って４つ並んで設けられているが、図４において不図示である。以下、袖鏡５Ｒの開閉機構や構造並びに機能は、袖鏡５Ｌと反転していることを除き同様であり、袖鏡５Ｌにおける説明を以て袖鏡５Ｒにおける説明を省略する場合がある。
【００４３】
制御部は、照明器具３７ａ，３７ｂの点灯及び消灯を制御する。具体的には、制御部は、第１センサ６ａから物体が近づいたことを知らせる近接検知情報が入力されると、制御信号を照明器具３７ａに出力し、照明器具３７ａを点灯する。一方、制御部は、第２センサ６ｂから物体の近接検知情報が入力されると、制御信号を照明器具３７ｂに出力し、照明器具３７ｂを点灯する。
【００４４】
照明器具３７ａの点灯の後、制御部は、第１センサ６ａから物体の近接検知情報の入力が所定時間ないと、制御信号を照明器具３７ａに出力し、照明器具３７ａを消灯する。一方、照明器具３７ｂの点灯の後、制御部は、第２センサ６ｂから物体の近接検知情報の入力が所定時間ないと、制御信号を照明器具３７ｂに出力し、照明器具３７ｂを消灯する。ここで、「物体の近接検知情報の入力がない」とは、例えば、最後に入力された近接検知情報が入力された時間から所定の時間、近接検知情報の入力がなかった場合が挙げられる。この所定時間としては、例えば、最後の近接検知情報の入力から５秒経過した後とする。この所定時間は、適宜設計すればよい。
【００４５】
さらに、制御部は、ラッチ機構（左側の袖鏡５Ｌにおいては符号９）における、軸（左側の袖鏡５Ｌにおいては符号５３ｂ）の拘束又は解放をそれぞれ制御する。具体的には、制御部は、第２センサ６ｂから物体が第２センサ６ｂに接触したという物体の接触検知情報が入力されると、制御信号を、軸５３ｂを拘束するラッチ機構９に出力し、軸５３ｂを解放する。一方、制御部は、第１センサ６ａから物体の接触検知情報が入力されると、制御信号を、軸４３ｂを拘束するラッチ機構に出力し、軸４３ｂを解放する。さらに、制御部は、これらラッチ機構に設けられた回動軸存在検知センサから回動軸存在検知情報が入力されると、制御信号を各ラッチ機構に出力し、軸４３ｂ，５３ｂを拘束する。
【００４６】
次に、本実施例に係る収納装置３における照明器具３７ａ，３７ｂの点灯及び消灯動作、並びにラッチ機構の解放及び拘束動作について説明する。
【００４７】
まず、照明器具３７ａ，３７ｂの点灯及び消灯動作について説明する。使用者が第１センサ６ａに手をかざすと、第１センサ６ａは、物体の近接を検知して、その物体の近接検知情報を制御部に出力する。制御部は、物体の近接検知情報が入力されると、制御信号を照明器具３７ａに出力し、照明器具３７ａを点灯する。一方、使用者が第２センサ６ｂに手をかざすと、第２センサ６ｂは、物体の近接を検知して、その物体の近接検知情報を制御部に出力する。制御部は、物体の近接検知情報が入力されると、制御信号を照明器具３７ｂに出力し、照明器具３７ｂを点灯する。制御部は、最後に入力された近接検知情報が入力された時間から所定の時間、近接検知情報の入力がなかった場合には、照明器具３７ａ，３７ｂを消灯する。
【００４８】
次に、ラッチ機構９の解放動作について説明する。ここでは、左側の袖鏡５Ｌを対象として説明する。先ず、初期状態を示す図５において、ラッチ機構９は軸５３ｂを拘束しており、袖鏡５Ｌは閉じた状態となっている。このとき、ラック９３ａ及びＬ字状部材９３ｂは袖鏡５Ｌにおける左右方向の最も中央側に位置し、回動軸９４ａ（アーム９４の柄の末端部分）は、経路９４ｄの同中央側に位置している。また、アーム９４は、他端側の末端部分９４ｆを含む片口スパナの柄の部分が同中央側に向かって傾斜しており、一端側の口部９４ｃは袖鏡５Ｌにおける左右方向の外側に向かって開口している。このため、口部９４ｃに挿し込まれて嵌合した軸５３ｂは、口部９４ｃから外れることなく口部９４ｃに拘束されている。
【００４９】
この状態において、使用者が第２センサ６ｂに手を接触させると、第２センサ６ｂは、物体の接触を検知して、その物体の接触検知情報を制御部に出力する。制御部は、物体の接触検知情報が入力されると、制御信号をラッチ機構９に出力し、ラッチ機構９のモータ９１を駆動する。ラッチ機構９のモータ９１が駆動すると、ピニオン９２を介して、ラック９３ａ及びＬ字状部材９３ｂが右側（図６における左側）に移動する。これにより、回動軸９４ｂを中心としてアーム９４が回動し、回動軸９４ａが、経路９４ｄの最も右側（図６における左側）の位置に達したときに、モータ９１は駆動を停止する。アーム９４は回動に伴って、口部９４ｃの下顎部分９４ｇで軸５３ｂを前方（図６における上方）に押し出す。これにより、軸５３ｂは口部９４ｃから解放され（図６及び７）、袖鏡５Ｌを右側から開けることができる。
【００５０】
次に、拘束動作について説明する。袖鏡５Ｌの右側が開いた状態において、使用者が当該袖鏡５Ｌの右側を後方（図６において下方）に押すと、軸５３ｂがアーム９４の所定範囲内に進入する。回動軸存在検知センサは、アーム９４の所定範囲内に軸５３ｂが存在すると検知すると、制御部に回動軸存在検知情報を出力する。制御部は、回動軸存在検知情報が入力されると、制御信号をラッチ機構９に出力し、ラッチ機構９のモータ９１を駆動する。ラッチ機構９のモータ９１が駆動すると、ピニオン９２を介して、ラック９３ａ及びＬ字状部材９３ｂが左側（図６における右側）に移動する。これにより、回動軸９４ｂを中心としてアーム９４が回動し、アーム９４は、口部９４ｃの上顎部分９４ｅで軸５３ｂを引っかけて、軸５３ｂを引き込むように口部９４ｃ内に挿し込まれ嵌合し拘束され、袖鏡５Ｌが閉じた状態になる。
【００５１】
次に、本実施例の収納装置３の動作を図８のフローチャートを用いて説明する。ここでも、左側の袖鏡５Ｌを対象として説明する。図８は、収納装置３の制御部の、照明器具３７ｂの点灯及び消灯並びにラッチ機構９の解放を制御する制御動作の一例を示すフローチャートである。
【００５２】
図８に示すように、制御動作が開始すると、ステップＳ１１において、制御部は、第２センサ６ｂが物体の近接を検知したか否かの判断を行う。制御部は、第２センサ６ｂが物体の近接を検知した場合、つまり、第２センサ６ｂから物体の近接検知情報が入力された場合には、ステップＳ１２に移行し、そうでない場合にはステップＳ１１の前に戻る。
【００５３】
ステップＳ１２において、第２センサ６ｂから物体の近接検知情報が入力された場合制御部は、照明器具３７ｂを点灯する。
【００５４】
ステップＳ１３において、制御部は、第２センサ６ｂが物体の接触を検知したか否かの判断を行う。制御部は、第２センサ６ｂが物体の接触を検知した場合、つまり、第２センサ６ｂから物体の接触検知情報が入力された場合には、ステップＳ１４に移行し、そうでない場合にはステップＳ１５に移行する。
【００５５】
ステップＳ１４において、第２センサ６ｂから物体の接触検知情報が入力された制御部は、ラッチ機構９のモータ９１を駆動して、軸５３ｂを拘束するラッチ機構９を解放する。これにより、軸５３ｂは口部９４ｃから解放され（図６及び７）、袖鏡５Ｌを右側から開けることができるようになる。
【００５６】
袖鏡５Ｌの開閉に関わらず、ステップＳ１５において、制御部は、第２センサ６ｂが物体の近接を検知しないか否かの判断を行う。制御部は、第２センサ６ｂが物体の近接を検知しない場合、つまり、第２センサ６ｂから物体の近接検知情報の入力が所定の時間なかった場合には、ステップＳ１６に移行し、そうでない場合にはステップＳ１５の前に移行する。
【００５７】
ステップＳ１６において、第２センサ６ｂからの物体の近接検知情報の入力が所定の時間なかった場合における制御部は、照明器具３７ｂを消灯し、制御動作を終了する。
【００５８】
なお、袖鏡５Ｌが開いた状態となっている場合には、使用者が手でこれを当該袖鏡５Ｌの右側を後方（図６において下方）に押すと、回動軸存在検知センサが所定範囲内に軸５３ｂが存在すると検知し、制御部が制御信号をラッチ機構９に出力して、アーム９４が軸５３ｂ拘束し、袖鏡５Ｌが閉じた（閉塞）状態になる。
【００５９】
以上の図８のフローチャートを用いて、第２センサ６ｂの検知により、左側の収納室３６Ｌ内を照射する照明器具３７ｂの点灯乃至消灯、並びに、左側の袖鏡５Ｌの解放（及び閉塞）の各動作が為されることを説明したが、中央収納室３４や右側の収納室３６Ｒについても同様の構成で各動作が為される。即ち、第１センサ６ａの検知により、中央収納室３４内を照射する照明器具３７ａの点灯乃至消灯、並びに、左主鏡４の解放（及び閉塞）の各動作が、第３センサ（不図示）の検知により、右側の収納室３６Ｒ内を照射する照明器具３７ｃの点灯乃至消灯、並びに、左側の袖鏡５Ｒの解放（及び閉塞）の各動作が、それぞれ為される。
【００６０】
本実施例の収納装置３によれば、中央収納室３４及び左右収納室３６Ｌ，３６Ｒ内を照射する照明装置３７ａ，３７ｂ，３７ｃを備え、中央収納室３４及び左右収納室３６Ｌ，３６Ｒの開口に設けられた開閉自在の主鏡４及び袖鏡５Ｌ，５Ｒが、中央収納室３４及び左右収納室３６Ｌ，３６Ｒ内外を閉時隔てるマジックミラー（鏡４１，５１Ｌ，５１Ｒ）を備えている。これにより、主鏡４及び袖鏡５Ｌ，５Ｒが閉じたままでも、中央収納室３４及び左右収納室３６Ｌ，３６Ｒ内を照明装置が照らすことにより、マジックミラーを通して中央収納室３４及び左右収納室３６Ｌ，３６Ｒ内を視認することが可能となるため、使用者は主鏡４及び袖鏡５Ｌ，５Ｒを開閉することなく、簡便に収納物を確認することが可能となる。
【００６１】
また、本実施例における収納装置３によれば、物体の近接及び物体の接触を検知する第１センサ６ａ，第２センサ６ｂ及び第３センサ（不図示）を備え、照明装置３７ａ，３７ｂ，３７ｃが、これらセンサへの物体の近接検知情報を得て、消灯乃至点灯する。これにより、使用者は、照明装置を点灯乃至消灯させるための動作を省くことができるため、簡便に収納物の確認が可能となる。
【００６２】
さらに、本実施例における収納装置３によれば、照明装置３７ａ，３７ｂ，３７ｃの点灯乃至消灯を制御する制御部を備え、制御部が、第１センサ６ａ，第２センサ６ｂ，第３センサ（不図示）の、物体の近接検知情報を得て照明装置３７ａ，３７ｂ，３７ｃを点灯する。これにより、使用者による照明装置３７ａ，３７ｂ，３７ｃの点灯及び消灯の動作を省くことができるため、簡便に収納物の確認が可能となる。
【００６３】
また、本実施例における収納装置３によれば、照明装置３７ａ，３７ｂ，３７ｃが点灯している際に、制御部が、所定の時間、第１センサ６ａ，第２センサ６ｂ，第３センサ（不図示）の検知情報をそれぞれ検出しないときには、照明装置３７ａ，３７ｂ，３７ｃをそれぞれ消灯する。これにより、照明装置３７は所定の時間経過後、自動的に消灯されるため、使用者の照明装置３７ａ，３７ｂ，３７ｃの消灯の動作を省くことができるため、使用者の手間が省ける。また照明装置３７の消し忘れを抑制することができ、省エネに資する。
【００６４】
また、本実施例における収納装置３によれば、中央収納室３４及び左右収納室３６Ｌ，３６Ｒが複数の区画に分かれており、照明装置３７が、複数の区画をそれぞれ照らす照明器具３７ａ，３７ｂ，３７ｃを有している。これにより、照明装置に照らされる範囲が広くなり、収納室内がより視認しやすくなる。
【００６５】
また、本実施例における収納装置３によれば、照明器具３７が、中央収納室３４及び左右収納室３６Ｌ，３６Ｒのそれぞれの位置に対応した、第１センサ６ａ及び第２センサ６ｂの検知情報を得て、点灯又は消灯する。これにより、収納室内の所望の区画を照明装置３７ａ，３７ｂ，３７ｃによりそれぞれ照らすことができ、利便性が向上する。なお、センサをさらに増設し、それぞれのセンサにより近接情報を検知して、棚により仕切られた上中下の各区画をそれぞれ照射する各照明装置の点灯乃至消灯を別々に制御することにしてもよい。これにより、必要な区画のみ照明装置を点灯させて、マジックミラー越しに中を確認することができる。
【００６６】
本実施例の洗面装置１は、収納装置３と、洗面台２とを備えている。これにより、使用者が洗面台２に向き合った際、主鏡４及び袖鏡５Ｌ，５Ｒが閉じたままでも、中央収納室３４及び左右収納室３６Ｌ，３６Ｒ内を照明装置が照らすことにより、マジックミラーを通して中央収納室３４及び左右収納室３６Ｌ，３６Ｒ内を視認することが可能となるため、使用者は主鏡４及び袖鏡５Ｌ，５Ｒを開閉することなく、簡便に収納物の確認が可能となる。
【００６７】
上記実施例における収納装置３の構成は、特に限定されるものではないが、以下のような構成とすることが好ましい。
【００６８】
主鏡４及び袖鏡５Ｌ，５Ｒにおけるマジックミラーの光透過率は、５０％以下であることが好ましい。光透過率が５０％以下であれば、照明器具３７が点灯していない間は、中央収納室３４及び左右収納室３６Ｌ，３６Ｒ内を視認することができず、照明装置３７が点灯したときに収納部３０Ａ内を視認することが可能となるからである。なお、光透過率の下限としては、照明器具３７が点灯していない間の鏡としての機能を考慮すると約７％であることが好ましい。
【００６９】
また、本実施例において、第１センサ６ａは、主鏡４の鏡支持部４２の前面の下側に左右方向に４つ、及び、下面部３３ｅの先端付近であって前記鏡支持部４２に設けられた４つのセンサに対応した位置に左右方向に４つ沿って並んで設けられている構成としたが、これに限定されることはない。例えば、鏡支持部４２の前面の下側のみに設けてもよく、また、下面部３３ｅの先端付近のみに設けてもよい。第１センサ６ａを、下面部３３ｅの先端付近のみに設けた場合には、センサが使用者から見えにくい位置に配置されるため、収納装置３及び洗面装置１の外観の意匠性が向上する。また、使用者は、手を低い位置で検知させることにより扉を開けることができ、利便性が向上する。第２センサ６ｂや第３センサ（不図示）についても同様である。
【００７０】
本実施例においては、主鏡４を構成する鏡４１はマジックミラーで構成されているとしたが、中央収納室３４内が視認できればこれに限定されることはなく、鏡４１のうち一部がマジックミラーで形成されている構成としてもよい。袖鏡５Ｌ，５Ｒにおいても同様である。勿論、いずれの鏡においても、全面をマジックミラーとすることが、照明器具の点灯時に収納室内全体を視認することができる為、好ましい。
【００７１】
本実施例においては、照明器具３７ａ，３７ｂ，３７ｃとして、ＬＥＤを例に挙げて説明したが、中央収納室３４及び左右収納室３６Ｌ，３６Ｒ内を照射できるものであれば、特に限定されることはない。ＬＥＤの他に照明器具３７ａ，３７ｂ，３７ｃとしては、例えば、一般的な白熱ランプや蛍光灯の他、有機エレクトロルミネッセンス（有機ＥＬ）など、照明に用いることができる各種光源を採用することができる。
【００７２】
本実施例においては、照明器具３７ａ，３７ｂ，３７ｃは、棚３４ａ，３６ａの下側の面の略中央部に設けられる構成としたが、これに限定されることはなく、例えば、下面側に複数設けてもよく、中央部でなくてもよい。さらに、照明器具を、中央収納室３４及び左右収納室３６Ｌ，３６Ｒ内（張り出し部３３の内側）に設けてもよい。
【００７３】
本実施例においては、中央収納室３４及び左右収納室３６Ｌ，３６Ｒが複数の区画に分かれていたが、これに限定されることはなく、１つの区画となっていてもよい。また、中央収納室３４と左右収納室３６Ｌ，３６Ｒが一つの収納室を形成していてもよく、その収納室を複数の区画に分けてもよい。さらに、照明装置３７の照明器具３７ａ，３７ｂ，３７ｃは２つに限定されることはなく、３以上であってもよい。
【００７４】
なお、前述した実施例は本発明の代表的な形態を示したに過ぎず、本発明は、当該実施例に限定されるものではない。即ち、当業者は、従来公知の知見に従い、本発明の骨子を逸脱しない範囲で種々変形して実施することができる。かかる変形によってもなお本発明の収納装置又は洗面装置の構成を具備する限り、勿論、本発明の範疇に含まれるものである。
【００７５】
例えば、前述した実施例においては、中央収納室３４及び左右収納室３６Ｌ，３６Ｒのそれぞれに照明装置３７の照明器具３７ａ，３７ｂ，３７ｃを備え、これらをそれぞれ別個に制御するセンサ乃至制御部を備える構成としたが、いずれか1つの収納室内に照明装置を備え、かつ、その収納室の内外を閉時隔てるマジックミラーを備えさえすれば、その収納室内を照明装置によってマジックミラー越しに照らし出すことができる。
【００７６】
また、前述した実施例においては、センサが収納装置に設けられた構成を例に挙げて説明しているが、センサの設置場所はこれに限られるものではない。収納装置や洗面台とは別個に、例えば、これらが設置される部屋（洗面所）の天井や壁、さらには出入口等に設置してもよい。このとき、設置するセンサをいわゆる人感センサとすることで、使用者が部屋（洗面所）に入室したことを、あるいは、洗面台に近づいたこと乃至対面したこと、を検知して、収納室内の照明装置を点灯させることもできる。この場合には、例えば、使用者が蓋部を開けたり、その場を離れたりした際、あるいは、所定時間経過後に、照明装置を消灯するように制御する構成とすることができる。
【００７７】
さらに、そもそもセンサを備えず、照明装置のスイッチを備えることとしても構わない。この場合には、使用者が、収納室内における、中を覗きたい区画（場所）に対応するスイッチを入れることで、直接所望の照明装置を点灯させ、マジックミラー越しに中を確認することができる。
【００７８】
本発明において、照明装置やセンサ（スイッチ）は、複数備えることに限定されず、収納室内に１つの照明装置のみが配されて、1つのセンサ乃至スイッチでこれを点灯乃至消灯するように構成されていても構わない。
【００７９】
本実施例においては、蓋部として開き扉状の主鏡４、及び、袖鏡５Ｌ，５Ｒを例に挙げているが、本発明における蓋部は扉状のものに限定されず、例えば、引き戸やシャッター形状の物、さらにはアコーディオン形状の物であってもよい。開閉可能な蓋部であって、その少なくとも一部にマジックミラーが設けられ、収納室内外を隔てることができればその構成は限定されない。
【符号の説明】
【００８０】
１                  洗面装置
２                  洗面台
３                  収納装置
３０Ａ              収納部
３４                中央収納室
３６Ｌ，３６Ｒ      左右収納室
４                  主鏡（蓋部）
５Ｌ，５Ｒ          袖鏡（蓋部）
３７                照明装置
３７ａ，３７ｂ      照明器具
６                  近接接触センサ（センサ）
【図１】
2016154637.tif 000003
【図２】
2016154637.tif 000004
【図３】
2016154637.tif 000005
【図４】
2016154637.tif 000006
【図５】
2016154637.tif 000007
【図６】
2016154637.tif 000008
【図７】
2016154637.tif 000009
【図８】
2016154637.tif 000010